(57)【要約】【課題】光源から発せられた光を高精度に検出しつつ、光源を所望の輝度で発光させることができる技術を提供する。【解決手段】本発明の光源装置は、光源と、前記光源から発せられた光を検出する検出手段と、前記光源の目標輝度を決定する決定手段と、前記光源の発光の制御を周期的に行う制御手段と、を有し、前記制御手段は、前記制御の１周期を、前記検出手段による光検出用の発光を前記光源に行わせる第１期間と、前記決定手段で決定された目標輝度の発光を前記光源に行わせる第２期間とに分け、前記検出手段は、前記第１期間に前記光源から発せられた光を検出する。【選択図】図１
2015090399.tif 000002
【特許請求の範囲】
【請求項１】
光源と、
前記光源から発せられた光を検出する検出手段と、
前記光源の目標輝度を決定する決定手段と、
前記光源の発光の制御を周期的に行う制御手段と、
を有し、
前記制御手段は、前記制御の１周期を、前記検出手段による光検出用の発光を前記光源に行わせる第１期間と、前記決定手段で決定された目標輝度の発光を前記光源に行わせる第２期間とに分け、
前記検出手段は、前記第１期間に前記光源から発せられた光を検出する
ことを特徴とする光源装置。
【請求項２】
前記制御手段は、前記第１期間では前記第２期間よりも低い値の駆動信号で前記光源を駆動する
ことを特徴とする請求項１に記載の光源装置。
【請求項３】
前記制御手段は、前記光源の点灯時間を変化させることにより、前記光源の発光輝度を変化させるものであり、
前記制御手段は、前記決定手段で決定された目標輝度を実現するための前記第２期間における点灯時間が変化した場合に、前記第１期間における点灯時間を、前記第２期間における点灯時間の変化率で変化させる
ことを特徴とする請求項１または２に記載の光源装置。
【請求項４】
前記第１期間における点灯時間を前記変化率で変化させた時間が、前記検出手段による光検出に必要な必要検出時間よりも短い場合に、前記制御手段は、前記第１期間における点灯時間として前記必要検出時間を設定する
ことを特徴とする請求項３に記載の光源装置。
【請求項５】
前記制御手段は、前記制御の１周期を、１つの第１期間と複数の第２期間に分ける
ことを特徴とする請求項１〜４のいずれか１項に記載の光源装置。
【請求項６】
複数の光源を有し、
前記制御手段は、前記検出手段による光検出用の発光を前記光源に行わせている間、前記検出手段で前記光源から発せられた光のみが検出されるように、他の光源の発光を制御する
ことを特徴とする請求項１〜５のいずれか１項に記載の光源装置。
【請求項７】
前記光源装置は、光源装置から発せられた光を変調することで画面に画像を表示する表示装置で使用されるものであり、
前記制御の１周期は、前記表示装置で表示する画像データの１フレームの期間である
ことを特徴とする請求項１〜６のいずれか１項に記載の光源装置。
【請求項８】
前記光源装置は、光源装置から発せられた光を変調することで画面に画像を表示する表示装置で使用されるものであり、
前記決定手段は、前記表示装置で表示する画像データに基づいて目標輝度を決定する
ことを特徴とする請求項１〜７のいずれか１項に記載の光源装置。
【請求項９】
光源と、
前記光源から発せられた光を検出する検出手段と、
を有する光源装置の制御方法であって、
前記光源の目標輝度を決定する決定ステップと、
前記光源の発光の制御を周期的に行う制御ステップと、
を有し、
前記制御ステップでは、前記制御の１周期を、前記検出手段による光検出用の発光を前記光源に行わせる第１期間と、前記決定ステップで決定された目標輝度の発光を前記光源に行わせる第２期間とに分け、
前記検出手段は、前記第１期間に前記光源から発せられた光を検出する
ことを特徴とする光源装置の制御方法。
【請求項１０】
前記制御ステップでは、前記第１期間では前記第２期間よりも低い値の駆動信号で前記光源を駆動する
ことを特徴とする請求項９に記載の光源装置の制御方法。
【請求項１１】
前記制御ステップでは、前記光源の点灯時間を変化させることにより、前記光源の発光輝度を変化させるものであり、
前記制御ステップでは、前記決定ステップで決定された目標輝度を実現するための前記第２期間における点灯時間が変化した場合に、前記第１期間における点灯時間を、前記第２期間における点灯時間の変化率で変化させる
ことを特徴とする請求項９または１０に記載の光源装置の制御方法。
【請求項１２】
前記第１期間における点灯時間を前記変化率で変化させた時間が、前記検出手段による光検出に必要な必要検出時間よりも短い場合に、前記制御ステップでは、前記第１期間における点灯時間として前記必要検出時間を設定する
ことを特徴とする請求項１１に記載の光源装置の制御方法。
【請求項１３】
前記制御ステップでは、前記制御の１周期を、１つの第１期間と複数の第２期間に分ける
ことを特徴とする請求項９〜１２のいずれか１項に記載の光源装置の制御方法。
【請求項１４】
前記光源装置は、複数の光源を有し、
前記制御ステップでは、前記検出手段による光検出用の発光を前記光源に行わせている間、前記検出手段で前記光源から発せられた光のみが検出されるように、他の光源の発光を制御する
ことを特徴とする請求項９〜１３のいずれか１項に記載の光源装置の制御方法。
【請求項１５】
前記光源装置は、光源装置から発せられた光を変調することで画面に画像を表示する表示装置で使用されるものであり、
前記制御の１周期は、前記表示装置で表示する画像データの１フレームの期間である
ことを特徴とする請求項９〜１４のいずれか１項に記載の光源装置の制御方法。
【請求項１６】
前記光源装置は、光源装置から発せられた光を変調することで画面に画像を表示する表示装置で使用されるものであり、
前記決定ステップでは、前記表示装置で表示する画像データに基づいて目標輝度を決定する
ことを特徴とする請求項９〜１５のいずれか１項に記載の光源装置の制御方法。
【請求項１７】
請求項９〜１６のいずれか１項に記載の光源装置の制御方法の各ステップをコンピュータに実行させることを特徴とするプログラム。
【発明の詳細な説明】
【技術分野】
【０００１】
本発明は、光源装置、光源装置の制御方法、及び、プログラムに関する。
【背景技術】
【０００２】
近年、表示装置の輝度安定性、輝度階調特性、コントラストなどの画質に対するユーザの要求レベルが日々高まっている。また、液晶表示装置のバックライトの光源としてＬＥＤ（Ｌｉｇｈｔ  Ｅｍｉｔｔｉｎｇ  Ｄｉｏｄｅ）が使用される機会が増えている。
【０００３】
上述したバックライトなどの光源装置では、温度変化や経時劣化を含む環境変化によって光源（光源装置が有する光源）の発光輝度が変化してしまう。
そのため、光源から発せられた光を光センサ（輝度センサなど）で検出し、光センサの検出値が一定になるように光源の発光輝度をフィードバック制御する技術が提案されている（特許文献１）。このようなフィードバック制御を行えば、光源の発光輝度を一定に保ったり、光源装置から発せられる光の輝度ムラを低減したりすることができる。
【０００４】
また、液晶表示装置では、黒画像を表示する際に、液晶パネルがバックライトから発せられた光を完全に遮断することができず、黒浮きが発生してしまう。
そのため、バックライトが有する複数の光源のうち、入力画像データの低輝度の領域に対応する光源の発光輝度を低減する技術が提案されている。このような発光輝度の制御は、“ローカルディミング制御”と呼ばれる。このようなローカルディミング制御を行えば、黒浮きを抑制し、表示画像（画面に表示された画像）のコントラストを高めることができる。また、ローカルディミング制御を行うと共に、光源の発光輝度の変化による表示輝度（画面上の輝度）の変化が低減されるように入力画像データを補正すれば、表示画像のコントラストをさらに高めることができる。
【０００５】
光源の発光輝度（発光量）の制御方法として、ＰＡＭ制御（パルス振幅変調制御）とＰＷＭ制御（パルス幅変調制御）がある。
ＰＡＭ制御は、光源に供給する駆動信号（電圧や電流）の値（パルス振幅）を変化させることにより、光源の発光輝度を変化させる制御方法である。
ＰＷＭ制御は、光源に供給する駆動信号の供給時間（パルス幅）、即ち光源の点灯時間を変化させることにより、光源の発光輝度を変化させる制御方法である。上述したローカルディミング制御やフィードバック制御では、一般的に、ＰＷＭ制御を行うことにより光源の発光輝度が制御される。
【先行技術文献】
【特許文献】
【０００６】
【特許文献１】特開平１１−２９５６８９号公報
【発明の概要】
【発明が解決しようとする課題】
【０００７】
しかしながら、ローカルディミング制御などでは、光源の発光輝度が非常に低い値に制御されてしまうことがある。その結果、光源の１回の点灯時間が光センサの光検出に必要な必要検出時間よりも短くなってしまい、高精度な光検出を行えなくなってしまうことがある。
また、光源の点灯時間の下限値を必要検出時間に制限すると、光源の発光輝度が所望の値に制御されず、ローカルディミング制御によるコントラスト向上効果が低減してしまう。
【０００８】
本発明は、光源から発せられた光を高精度に検出しつつ、光源を所望の輝度で発光させることができる技術を提供することを目的とする。
【課題を解決するための手段】
【０００９】
本発明の第１の態様は、
光源と、
前記光源から発せられた光を検出する検出手段と、
前記光源の目標輝度を決定する決定手段と、
前記光源の発光の制御を周期的に行う制御手段と、
を有し、
前記制御手段は、前記制御の１周期を、前記検出手段による光検出用の発光を前記光源に行わせる第１期間と、前記決定手段で決定された目標輝度の発光を前記光源に行わせる第２期間とに分け、
前記検出手段は、前記第１期間に前記光源から発せられた光を検出する
ことを特徴とする光源装置である。
【００１０】
本発明の第２の態様は、
光源と、
前記光源から発せられた光を検出する検出手段と、
を有する光源装置の制御方法であって、
前記光源の目標輝度を決定する決定ステップと、
前記光源の発光の制御を周期的に行う制御ステップと、
を有し、
前記制御ステップでは、前記制御の１周期を、前記検出手段による光検出用の発光を前記光源に行わせる第１期間と、前記決定ステップで決定された目標輝度の発光を前記光源に行わせる第２期間とに分け、
前記検出手段は、前記第１期間に前記光源から発せられた光を検出する
ことを特徴とする光源装置の制御方法である。
【００１１】
本発明の第３の態様は、上述した光源装置の制御方法の各ステップをコンピュータに実行させることを特徴とするプログラムである。
【発明の効果】
【００１２】
本発明によれば、光源から発せられた光を高精度に検出しつつ、光源を所望の輝度で発光させることができる。
【図面の簡単な説明】
【００１３】
【図１】実施例１に係る表示装置の機能構成の一例を示すブロック図
【図２】実施例１に係るバックライトのハードウェア構成の一例を示す図
【図３】実施例１に係る基準センサ値テーブルの一例を示す図
【図４】実施例１に係る表示装置の動作の一例を示すフロー図
【図５】実施例１に係るフィードバック制御部の動作の一例を示すフロー図
【図６】実施例１に係る選択順序テーブルの一例を示す図
【図７】実施例１に係るバックライト点灯制御部の動作の一例を示すフロー図
【図８】実施例１に係るバックライト点灯制御部の動作の一例を示すタイミング図
【図９】実施例１に係る選択光源と選択センサの一例を示す図
【図１０】実施例２に係る表示装置の動作の一例を示すフロー図
【図１１】実施例２に係るバックライト点灯制御部の動作の一例を示すフロー図
【図１２】実施例２に係るバックライト点灯制御部の動作の一例を示すタイミング図
【図１３】実施例２に係るバックライト点灯制御部の動作の一例を示すタイミング図
【発明を実施するための形態】
【００１４】
＜実施例１＞
本発明の実施例１に係る光源装置及びその制御方法について説明する。
なお、以下では、本実施例に係る光源装置が、光源装置から発せられた光を変調することで画面に画像を表示する表示装置で使用されるものである場合の例を説明するが、本実施例に係る光源装置はこれに限らない。本実施例に係る光源装置は、例えば、街灯、室内照明などの照明装置であってもよい。
なお、以下では、本実施例に係る表示装置が、透過型の液晶表示装置である場合の例を説明するが、本実施例に係る表示装置はこれに限らない。本実施例に係る表示装置は、光源装置から発せられた光を変調することで画面に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１５】
図１は、本実施例に係る表示装置の機能構成の一例を示すブロック図である。
本実施例に係る表示装置は、表示制御装置１００、液晶パネル１１３、バックライト２００、などを有する。バックライト２００と、表示制御装置１００の一部または全部とにより、本実施例に係る光源装置が構成される。
【００１６】
液晶パネル１１３は、表示制御装置１００（具体的には、後述する画像データ出力部１０５）から出力された画像データに従って、画面に画像を表示する。具体的には、液晶パネル１１３は、複数の液晶素子を有しており、画像データ出力部１０５から出力された画像データに従って各液晶素子の透過率を制御する。そして、バックライト２００から発せられた光が各液晶素子を透過することにより、画面に画像が表示される。
【００１７】
バックライト２００は、光源２０１と、光源２０１から発せられた光を検出する輝度センサ２０２とを有する。バックライト２００（バックライト２００が有する光源２０１）から発せられた光は、液晶パネル１１３の背面に照射される。図２に示すように、本実施例では、画面（バックライト２００の発光面）の領域が６行８列の４８個の分割領域２０３から構成されており、分割領域２０３毎に１つの光源２０１が設けられている。１つの光源２０１は、４つのＬＥＤ２０４を有する。そして、２行２列の４つの分割領域２０３毎に１つの輝度センサ２０２が設けられている。
【００１８】
なお、本実施例では、バックライトが４８個の光源を有する場合の例を説明するが、これに限らない。バックライトが有する光源の数（即ち分割領域の数）は４８個より多くても少なくてもよい。バックライトが有する光源の数は１つであってもよい。
なお、本実施例では、発光素子がＬＥＤである場合の例を説明するが、これに限らない。例えば、発光素子は、有機ＥＬ素子、冷陰極管、などであってもよい。
なお、本実施例では、光源から発せられた光を検出する光センサが、光源から発せられた光の輝度を検出する輝度センサである場合の例を説明するが、これに限らない。例えば、光センサは、光源から発せられた光の光量を検出する光量センサであってもよい。
なお、本実施例では、１つの光源が４つの発光素子を有する場合の例を説明するが、これに限らない。１つの光源が有する発光素子の数は４つより多くても少なくてもよい。１つの光源が有する発光素子の数は１つであってもよい。
なお、本実施例では、４つの分割領域（４つの光源）に対して１つの光センサが設けられている場合の例を説明するが、これに限らない。４つより多くの分割領域に対して１つの光センサが設けられていてもよいし、４つより少ない分割領域に対して１つの光センサ
が設けられていてもよい。分割領域毎に１つの光センサが設けられていてもよい。
【００１９】
表示制御装置１００は、画像データ入力部１０１、バックライト目標輝度決定部１０２、バックライト輝度推定部１０３、画像データ補正部１０４、画像データ出力部１０５、フィードバック制御部１０６、点灯制御値決定部１１０、バックライト点灯制御部１１１、輝度センサ値取得部１１２、などを有する。
表示制御装置１００は、例えば、不図示のＲＯＭ、ＲＡＭ、及び、ＣＰＵを有する。そして、図１に示す複数の機能部（表示制御装置１００が有する複数の機能部）の少なくとも一部は、ＣＰＵがＲＯＭに格納されたプログラムを実行することにより、実現される。ＲＡＭは、例えば、ＲＯＭに格納されたプログラムを実行する際にワークメモリとして使用される。
表示制御装置１００は、ＣＰＵのＴｉｍｅｒ機能を用いて時間管理を行う。例えば、表示装置の電源オン操作が行われたときの時刻を０として時間の計測が開始される。
【００２０】
画像データ入力部１０１は、外部から画像データを取得し、取得した入力画像データをデコードし、デコード後の画像データを画像データ補正部１０４とバックライト目標輝度決定部１０２へ出力する。画像データは、例えば、不図示のＰＣ（Ｐｅｒｓｏｎａｌ  Ｃｏｍｐｕｔｅｒ）から、ＤＶＩ（Ｄｉｇｉｔａｌ  Ｖｉｓｕａｌ  Ｉｎｔｅｒｆａｃｅ）などの信号線を介して取得される。
なお、デコード後の画像データが取得されてもよい。その場合には、取得された画像データが画像データ補正部１０４とバックライト目標輝度決定部１０２へ出力される。
【００２１】
バックライト目標輝度決定部１０２は、各光源の目標輝度を決定する。本実施例では、表示装置で表示する画像データ（画像データ入力部１０１から出力された画像データ）に基づいて、各光源の目標輝度が決定される。例えば、画像データの暗い領域で、画像データの明るい領域よりも目標輝度が低くなるように、各光源の目標輝度が決定される。具体的には、分割領域毎に、画像データ入力部１０１から出力された画像データから、その分割領域に表示すべき画像データの明るさを示す特徴量が取得される。そして、分割領域毎に、その分割領域の特徴量に応じて、当該特徴量によって示された明るさが明るいほど目標輝度が高くなるように、当該分割領域に対応する光源の目標輝度が決定される。目標輝度は、例えば、特徴量と目標輝度の対応関係を示す情報（テーブルや関数）を用いて決定される。そして、バックライト目標輝度決定部１０２は、各光源の目標輝度を示すバックライト目標輝度情報を、バックライト輝度推定部１０３と点灯制御値決定部１１０へ出力する。
なお、目標輝度の決定方法は、上述した方法に限らない。例えば、画像データの暗い領域で、画像データの明るい領域よりも目標輝度が低くなるように、上述した方法以外の方法で各光源の目標輝度が決定されてもよい。また、ユーザ操作（例えば、光源の発光輝度を変更するユーザ操作）に応じて各光源の目標輝度が決定されてもよい。
【００２２】
バックライト輝度推定部１０３は、バックライト目標輝度情報に基づいて、全ての光源を点灯させたときにバックライト２００から発せられる光の、バックライト２００の発光面方向における輝度分布を推定する。そして、バックライト輝度推定部１０３は、推定された輝度分布を示す輝度分布情報を画像データ補正部１０４へ出力する。
なお、光源からの光が、当該光源に対応する分割領域以外の分割領域に漏れる場合には、そのような光の漏れを考慮して輝度分布が推定されることが好ましい。
【００２３】
画像データ補正部１０４は、輝度分布情報に基づいて、光源の目標輝度（発光輝度）の変化による表示輝度（画面上の輝度）の変化が低減されるように、画像データ入力部１０１から出力された画像データを補正する。そして、画像データ補正部１０４は、補正後の画像データを画像データ出力部１０５へ出力する。
【００２４】
画像データ出力部１０５は、画像データ補正部１０４から出力された画像データを液晶パネル１１３へ出力するとともに、当該画像データの垂直同期信号をバックライト点灯制御部１１１へ出力する。
【００２５】
フィードバック制御部１０６は、所定時間おきに各光源の発光輝度補正値を決定する処理を行う。
発光輝度補正値は、温度変化や経年劣化を含む環境変化に起因した光源の発光輝度の変化を低減する補正値である。
詳細は後述するが、本実施例では、所定時間おきに、発光輝度補正値が決定され、決定された発光輝度補正値を用いて点灯制御値が補正される。それにより、光源の発光輝度が、目標輝度に一致するように、フィードバック制御される。
点灯制御値は、光源の発光輝度を制御する制御値である。光源に供給する駆動信号（電圧や電流）の供給時間（パルス幅）、即ち光源の点灯時間を変化させることにより、光源の発光輝度を変化させるＰＷＭ制御を行う場合には、点灯制御値としてパルス幅が使用される。光源に供給する駆動信号の値（パルス振幅）を変化させることにより、光源の発光輝度を変化させるＰＡＭ制御を行う場合には、点灯制御値としてパルス振幅が使用される。パルス幅とパルス振幅の両方を変化させることにより、光源の発光輝度を変化させる制御を行う場合には、点灯制御値としてパルス幅とパルス振幅が使用される。本実施例では、ＰＷＭ制御を行う例を説明する。
【００２６】
フィードバック制御部１０６は、測定位置決定部１０７、バックライト測定制御部１０８、発光輝度補正値決定部１０９、などを有する。
【００２７】
測定位置決定部１０７は、発光輝度補正値の決定対象とする光源を選択する。そして、測定位置決定部１０７は、選択した光源（選択光源）を示す光源情報と、選択光源に対応する輝度センサ（選択センサ）を示す輝度センサ情報とを、バックライト測定制御部１０８へ出力する。
【００２８】
バックライト測定制御部１０８は、測定位置決定部１０７から出力された輝度センサ情報を輝度センサ値取得部１１２へ出力する。また、バックライト測定制御部１０８は、測定位置決定部１０７から出力された光源情報と測定要求を、バックライト点灯制御部１１１へ出力する。
【００２９】
発光輝度補正値決定部１０９は、輝度センサ値取得部１１２から、選択光源のみが点灯しているときの選択センサの輝度センサ値を取得する。そして、発光輝度補正値決定部１０９は、取得した輝度センサ値と、基準センサ値とに基づいて、選択光源の点灯制御値を補正する発光輝度補正値を決定する。基準センサ値は、輝度センサ値の基準値であり、例えば工場出荷時の輝度センサ値（１つの光源のみが点灯しているときの当該光源に対応する輝度センサの輝度センサ値）である。本実施例では、光源毎の基準センサ値が予め用意されている。例えば、図３に示すような基準センサ値テーブルが不図示の不揮発性メモリに予め格納されている。図３において、ｘは光源の水平方向位置を示し、ｙは光源の垂直方向位置を示す。図２に示すように４８個の光源が配置されている場合には、ｘは１以上８以下の整数であり、ｙは１以上６以下の整数である。
発光輝度補正値決定部１０９は、決定した発光輝度補正値を点灯制御値決定部１１０へ出力する。
なお、光源間で共通の１つの基準センサ値が用意されてもよい。
【００３０】
点灯制御値決定部１１０は、各光源の点灯制御値をバックライト点灯制御部１１１へ出力する。具体的には、点灯制御値決定部１１０は、以下の２つの処理のいずれかを行う。
（１）ＲＯＭから読み出した各光源の初期点灯制御値をバックライト点灯制御部１１１へ出力する処理
（２）光源毎に目標輝度と発光輝度補正値に基づいて点灯制御値を決定し、各光源の決定した点灯制御値をバックライト点灯制御部１１１へ出力する処理
初期点灯制御値は、点灯制御値の初期値であり、例えば工場出荷時に決定された点灯制御値である。例えば、初期点灯制御値は、光源の発光輝度が所定値となるような点灯制御値である。本実施例では、光源毎に初期点灯制御値が用意されている。
なお、初期点灯制御値は、後述する第１期間での発光によって生じる微量の発光輝度増加を考慮して決定されていることが好ましい。
なお、光源間で共通の１つの初期点灯制御値が用意されてもよい。
【００３１】
バックライト点灯制御部１１１は、各光源の発光を制御する。各光源の発光の制御（発光制御）は周期的に行われる。バックライト点灯制御部１１１は、発光制御の１周期を第１期間と第２期間に分ける。そして、第２期間では、バックライト点灯制御部１１１は、バックライト目標輝度決定部１０２で決定された目標輝度の発光を光源に行わせる。具体的には、第２期間では、バックライト点灯制御部１１１は、点灯制御値決定部１１０で決定された点灯制御値で光源を駆動する。
本実施例では、画像データ出力部１０５から出力された垂直同期信号の信号周期を１周期として発光制御が行われる。即ち、本実施例では、表示装置で表示する画像データの１フレームの期間を１周期として発光制御が行われる。
【００３２】
また、バックライト点灯制御部１１１は、第１期間において、選択センサによる光検出用の発光を選択光源に行わせる。そして、バックライト点灯制御部１１１は、選択センサによる光検出用の発光を選択光源に行わせている間、選択センサで選択光源から発せられた光のみが検出されるように、他の光源（選択光源以外の光源）の発光を制御する。具体的には、バックライト点灯制御部１１１は、第１期間において、輝度センサによる光検出に必要な必要検出時間以上の時間だけ選択光源を点灯させ、選択光源を点灯させている間、選択光源以外の光源を消灯させる。その際、バックライト点灯制御部１１１は、選択光源の点灯を開始するタイミングで、輝度センサ値取得部１１２へ測定要求を出力する。
なお、第１期間における点灯制御値は、予め設定された固定値であってもよいし、第２期間における点灯制御値に基づいて決定されてもよい。
なお、選択センサによる光検出用の発光を選択光源に行わせている間、選択センサの輝度センサ値に影響を与えない範囲内の発光輝度で選択光源以外の光源を点灯させてもよい。
【００３３】
輝度センサ値取得部１１２は、バックライト点灯制御部１１１から測定要求が出力されたタイミングで、選択センサから輝度センサ値を取得する。そして、輝度センサ値取得部１１２は、取得した輝度センサ値を発光輝度補正値決定部１０９へ出力し、測定完了通知をフィードバック制御部１０６に出力する。測定完了通知は、フィードバック制御部１０６のどの機能部に出力されてもよい。
【００３４】
次に、本実施例に係る表示装置の動作について、図４に示すフローチャートを用いて説明する。具体的には、本実施例に係るフィードバック制御（光源の発光輝度のフィードバック制御）に関する動作について説明する。なお、以下では、説明を簡単にするために、目標輝度の単位と点灯制御値の単位とが同じである場合の例を説明する。
本実施例では、ユーザによる電源オン操作に応じて、バックライトの駆動時間の計測が開始され、図４のフローチャートが開始される。なお、図４のフローチャートの開始のタイミングは、上記タイミングに限らない。例えば、光源の発光輝度のフィードバック制御の開始を指示するユーザ操作に応じて、図４のフローチャートが開始されてもよい。
【００３５】
まず、点灯制御値決定部１１０が、バックライト点灯制御部１１１に初期点灯制御値ＤｅｆＰＷＭを出力する（Ｓ４０１；初期化処理）。バックライト点灯制御部１１１は、点灯制御値を設定し、設定した点灯制御値でバックライト２００（各光源）を駆動する。初期化処理が行われると、点灯制御値として初期点灯制御値ＤｅｆＰＷＭが設定され、初期点灯制御値ＤｅｆＰＷＭで各光源が駆動される。
【００３６】
次に、フィードバック制御部１０６が、バックライト２００の駆動時間が時間閾値を超えたか否かを判断する（Ｓ４０２）。詳細は以下に述べるが、本実施例では、Ｓ４０２〜Ｓ４０４の処理が繰り返し行われる。１回目のＳ４０２の処理では、電源オン操作が行なわれてからのバックライト２００の駆動時間が時間閾値を超えたか否かが判断される。２回目以降のＳ４０２の処理では、直前のフィードバック制御が行われてからのバックライト２００の駆動時間が時間閾値を超えたか否かが判断される。
フィードバック制御部１０６は、バックライト２００の駆動時間が時間閾値を超えるまで待機し、バックライト２００の駆動時間が時間閾値を超えた場合にＳ４０３の処理を行う。
【００３７】
Ｓ４０３では、フィードバック制御部１０６が、各光源の発光輝度補正値を決定し、点灯制御値決定部１１０へ出力する。
なお、本実施例では、各光源の目標輝度が画像データのフレーム毎に決定される。そして、複数の光源に対応する複数の輝度センサの取得は画像データの垂直同期信号の時間間隔で実施される。そのため、図２に示すように４８個の光源が配置されている場合には、４８フレーム分の期間をかけて４８個の光源の発光輝度補正値が決定される。
なお、１フレームの期間内に全ての光源の発光輝度補正値が決定されてもよい。
【００３８】
次に、点灯制御値決定部１１０が、各光源の点灯制御値ＰＷＭを決定し、バックライト点灯制御部１１１に出力する（Ｓ４０４）。その後、バックライト点灯制御部１１１は、点灯制御値を点灯制御値ＰＷＭに更新し、各光源を点灯制御値ＰＷＭで駆動する（詳細は後述する）。点灯制御値ＰＷＭは、Ｓ４０３で決定された発光輝度補正値Ｃｏｒｒと、バックライト目標輝度決定部１０２が決定した目標輝度Ｌｔｇｔとに基づいて決定される。本実施例では、以下の式１を用いて点灯制御値ＰＷＭが算出される。式１において、ＰＷＭ（ｘ，ｙ）は、水平方向位置がｘであり、垂直方向位置がｙである光源の点灯制御値である。Ｌｔｇｔ（ｘ，ｙ）とＣｏｒｒ（ｘ，ｙ）についても同様である。
ＰＷＭ（ｘ，ｙ）＝Ｌｔｇｔ（ｘ，ｙ）×Ｃｏｒｒ（ｘ，ｙ）  ・・・（式１）
なお、点灯制御値ＰＷＭの決定方法は上記方法に限らない。例えば、点灯制御値ＰＷＭと、発光輝度補正値Ｃｏｒｒ及び目標輝度Ｌｔｇｔの組み合わせとの対応関係を表すテーブルを用いて、点灯制御値ＰＷＭが決定されてもよい。
【００３９】
その後、Ｓ４０２に処理が戻される。上述した時間閾値はどのような値であってもよいが、時間閾値が１０秒である場合、１０秒経過する度にＳ４０３とＳ４０４の処理が行われることとなる。
【００４０】
次に、フィードバック制御部１０６の動作（Ｓ４０３の処理）について、図５に示すフローチャートを用いて説明する。
【００４１】
まず、フィードバック制御部１０６が、選択用カウント値ｌｓ＿ｃｎｔを０にする（Ｓ５０１）。選択用カウント値ｌｓ＿ｃｎｔの設定は、フィードバック制御部１０６のどの機能部で行われてもよい。
【００４２】
次に、測定位置決定部１０７が、予め用意された選択順序テーブルを用いて、選択用カウント値ｌｓ＿ｃｎｔに対応する光源を選択光源として選択する（Ｓ５０２）。選択順序テーブルは、選択光源の順序を示すテーブルであり、選択用カウント値ｌｓ＿ｃｎｔと光源の対応関係を示すテーブルである（図６）。図６の例では、選択用カウント値ｌｓ＿ｃｎｔ＝０に位置（ｘ，ｙ）＝（１，１）の光源が対応付けられている。そのため、選択用カウント値ｌｓ＿ｃｎｔ＝０の場合、位置（１，１）の光源が選択光源として選択される。また、図６の選択順序テーブルは、選択センサの順序も示している。具体的には、図６の選択順序テーブルでは、選択用カウント値ｌｓ＿ｃｎｔと、光源と輝度センサの組み合わせとの対応関係が示されている。
なお、選択センサの順序を示すテーブルは、選択光源の順序を示すテーブルとは別に用意されていてもよい。
【００４３】
そして、測定位置決定部１０７は、選択順序テーブルを用いて、選択用カウント値ｌｓ＿ｃｎｔに対応する輝度センサを選択センサとして選択する（Ｓ５０３）。図６の例では、選択用カウント値ｌｓ＿ｃｎｔ＝０に位置（Ｘ，Ｙ）＝（１，１）の輝度センサが対応付けられている。そのため、選択用カウント値ｌｓ＿ｃｎｔ＝０の場合、位置（１，１）の輝度センサが選択センサとして選択される。Ｘは輝度センサの水平方向位置を示し、Ｙは輝度センサの垂直方向位置を示す。図２に示すように１２個の輝度センサが配置されている場合には、Ｘは１以上４以下の整数であり、Ｙは１以上３以下の整数である。
なお、Ｓ５０２の処理とＳ５０３の処理はどちらが先に行われてもよい。例えば、Ｓ５０３の処理の次にＳ５０２の処理が行われてもよい。
【００４４】
測定位置決定部１０７は、Ｓ５０２で選択された選択光源と、Ｓ５０３で選択された選択センサを示す情報をバックライト測定制御部１０８へ出力する。
【００４５】
そして、バックライト測定制御部１０８は、選択センサを示す輝度センサ情報を輝度センサ値取得部１１２へ出力し、選択光源を示す光源情報と測定要求をバックライト点灯制御部１１１へ出力する（Ｓ５０４）。
【００４６】
次に、フィードバック制御部１０６が、輝度センサ値取得部１１２から測定完了通知が入力されるまで待機する（Ｓ５０５）。このとき、発光輝度補正値決定部１０９には、輝度センサ値取得部１１２から、選択センサのみを点灯させたときの選択センサの輝度センサ値が入力される。
【００４７】
そして、測定完了通知の入力をトリガとして、フィードバック制御部１０６は、選択用カウント値ｌｓ＿ｃｎｔを１だけカウントアップする（Ｓ５０６）。
【００４８】
次に、フィードバック制御部１０６は、選択用カウント値ｌｓ＿ｃｎｔから、光源からの光の検出（光検出）が全ての光源について行われたか否かを判断する（Ｓ５０７）。
光検出が行われていない光源が存在する場合には、Ｓ５０２へ処理が戻される。
全ての光源について光検出が行われるまでＳ５０２〜Ｓ５０７の処理が繰り返し行われ、全ての光源について光検出が行われると、Ｓ５０８へ処理が進められる。
図２に示すように４８個の光源が配置されている場合には、選択用カウント値ｌｓ＿ｃｎｔ＝４８になるまでＳ５０２〜Ｓ５０７の処理が繰り返し行われる。
【００４９】
Ｓ５０８では、発光輝度補正値決定部１０９が、各光源の発光輝度補正値Ｃｏｒｒを決定する。発光輝度補正値Ｃｏｒｒは、取得された輝度センサ値Ｓｃｕｒと、予め用意された基準センサ値Ｓｂａｓｅとに基づいて決定される。本実施例では、以下の式２を用いて発光輝度補正値Ｃｏｒｒが算出される。式２において、輝度センサ値Ｓｃｕｒ（ｘ，ｙ）は、水平方向位置がｘであり、垂直方向位置がｙである選択光源のみが点灯しているとき
の選択センサの輝度センサ値である。基準センサ値Ｓｂａｓｅ（ｘ，ｙ）は、水平方向位置がｘであり、垂直方向位置がｙである光源の基準センサ値である。
Ｃｏｒｒ（ｘ，ｙ）＝Ｓｂａｓｅ（ｘ，ｙ）／Ｓｃｕｒ（ｘ，ｙ）  ・・・（式２）
なお、発光輝度補正値Ｃｏｒｒの決定方法は上記方法に限らない。例えば、発光輝度補正値Ｃｏｒｒと、輝度センサ値Ｓｃｕｒ及び基準センサ値Ｓｂａｓｅの組み合わせとの対応関係を表すテーブルを用いて、発光輝度補正値Ｃｏｒｒが決定されてもよい。
【００５０】
次に、バックライト点灯制御部１１１の動作の詳細について、図８に示すタイミングチャートを用いて説明する。
ここでは、図９に示すように、選択用カウント値ｌｓ＿ｃｎｔ＝０であり、位置（ｘ，ｙ）＝（１，１）の光源が選択光源として選択され、位置（Ｘ，Ｙ）＝（１，１）の輝度センサが選択センサとして選択された場合の例を説明する。以後、位置（ｘ，ｙ）の光源を“光源（ｘ，ｙ）”と記載し、位置（Ｘ，Ｙ）の輝度センサを“輝度センサ（Ｘ，Ｙ）”と記載する。
【００５１】
また、ここでは、図８（ａ）に示すように、垂直同期信号の１周期が１／６０秒である。
そして、バックライト点灯制御部１１１は、各光源の発光を１／６０秒の周期で制御する。具体的には、図８（ｂ）に示すように、バックライト点灯制御部１１１は、発光制御の１周期（１／６０秒）を１／２４０秒毎の４つの分割期間（１つの第１期間と３つの第２期間）に分ける。そして、バックライト点灯制御部１１１は、上記４つの分割期間のそれぞれにおいてＰＷＭ制御による発光制御を行う。
なお、ここでは、発光制御の１周期を１つの第１期間と３つの第２期間に分ける例を説明するが、第２期間の数は３つに限らない。第２期間の数は３つより多くても少なくてもよい。第２期間の数は１つであってもよい。
【００５２】
光源（１，１）は、分割期間の開始時刻に点灯が開始されるようにＰＷＭ制御される。例えば、光源（１，１）は、図８（ｃ）に示すように、第１期間の開始時刻ｔ１に点灯が開始されるようにＰＷＭ制御される。また、光源（１，１）は、第２期間の開始時刻（例えば時刻ｔ４）に点灯が開始されるようにＰＷＭ制御される。本実施例では、垂直方向位置が互いに等しい光源は、同じ時刻に点灯が開始されるようにＰＷＭ制御されるものとする。例えば、光源（２，１）も、図８（ｄ）に示すように、分割期間の開始時刻に点灯が開始されるようにＰＷＭ制御される。第１期間において光源（１，１）と光源（２，１）の点灯期間がずれている理由については後述する。
ｘ＝２，３，４，５，６の光源は、分割期間の開始時刻から１／２４００秒後、１／２００（＝２／２４００）秒後、１／８００（＝３／２４００）秒後、１／６００（＝４／２４００）秒後、１／４８０（＝１／２４００）秒後に点灯が開始されるように、ＰＷＭ制御される。例えば、光源（６，８）は、図８（ｅ）に示すように、第１期間の開始時刻ｔ１から１／４８０秒後の時刻ｔ３に点灯が開始されるように、ＰＷＭ制御される。また、光源（６，８）は、第２期間の開始時刻から１／４８０秒後の時刻に点灯が開始されるようにＰＷＭ制御される。
このように、光源間で点灯開始タイミングをずらすことにより、バックライトの電力消費量を平滑化することができる。なお、全ての光源の点灯開始タイミングが同じであってもよい。
【００５３】
第１期間では、バックライト点灯制御部１１１は、選択光源（１，１）に選択センサ（１，１）による光検出用の発光を行わせる。そして、バックライト点灯制御部１１１は、選択光源（１，１）に選択センサ（１，１）による光検出用の発光を行わせている間、選
択光源以外の光源が消灯するように、選択光源（１，１）以外の光源の発光を制御する。図８において、第１期間において光源（１，１）と光源（２，１）の点灯期間がずれているのは、このためである。図８の例では、第１期間において、光源（２，１）は、選択光源（１，１）の点灯終了時刻ｔ２に点灯が開始するようにＰＷＭ制御されている。
第２期間では、バックライト点灯制御部１１１は、点灯制御値決定部１１０から出力された点灯制御値で各光源をＰＷＭ制御する。発光輝度補正値Ｃｏｒｒが更新されると、点灯制御値決定部１１０が出力する点灯制御値も更新される。その結果、第２期間における点灯時間も更新される。換言すれば、第２期間における発光デューティ比が更新される。発光デューティ比は、第２期間に対する、第２期間内の総点灯時間の割合である。
【００５４】
なお、第１期間に光源に供給する駆動信号の値（パルス振幅）は、どのような値であってもよいが、第２期間におけるパルス振幅よりも低いことが好ましい。第１期間におけるパルス振幅が第２期間におけるパルス振幅よりも低ければ、第１期間におけるパルス振幅が第２期間におけるパルス振幅よりも高いときに比べて表示画像（画面に表示された画像）のコントラストを向上させることができる。
なお、第１期間におけるパルス振幅に対する第２期間におけるパルス振幅の割合が高いほど、表示画像のコントラストを高めることができる。しかしながら、第１期間におけるパルス振幅を低くしすぎると、第１期間に光源から発せられる光の量が少なくなりすぎてしまい、輝度センサが光検出を高精度に行えなくなってしまう。そのため、第１期間におけるパルス振幅は、輝度センサの検出精度を維持しつつ、高コントラストの表示画像が得られるように決定されることが望ましい。
【００５５】
次に、バックライト点灯制御部１１１の動作の詳細について、図７に示すフローチャートを用いて説明する。
図７のフローチャートは、バックライト点灯制御部１１１が画像データ出力部１０５から垂直同期信号を受信したことをトリガとして開始される。
【００５６】
まず、バックライト点灯制御部１１１が、発光制御用カウント値Ｃｙｃｌｅ＿Ｃｎｔを０にする（Ｓ７０１）。
【００５７】
次に、バックライト点灯制御部１１１が、第１期間におけるパルス振幅を示す振幅データＡ＿Ｌｏｗを設定する（Ｓ７０２）。
【００５８】
そして、バックライト点灯制御部１１１が、点灯制御値として下限点灯制御値ＰＷＭ＿ｌｍｔを設定する（Ｓ７０３）。Ｓ７０３の処理はＳ７０２の処理より前に行われてもよい。ここで、点灯制御値はパルス幅を示す。下限点灯制御値ＰＷＭ＿ｌｍｔは、例えば、輝度センサによる光検出に必要な必要検出時間と同じ時間（パルス幅）を示す。必要検出時間は、例えば、輝度変動が人の目にフリッカとして視認されない程度に短い時間である。
【００５９】
次に、バックライト点灯制御部１１１が、フィードバック制御部１０６から測定要求が入力されたか否かを判断する（Ｓ７０４）。
測定要求が入力された場合には、Ｓ７０５に処理が進められる。
測定要求が入力されていない場合には、バックライト点灯制御部１１１は、第１期間に、振幅データＡ＿Ｌｏｗで示されたパルス振幅と、下限点灯制御値ＰＷＭ＿ｌｍｔで示されたパルス幅とを有する駆動信号で各光源を駆動する。そして、Ｓ７０７に処理が進められる。
【００６０】
Ｓ７０５では、バックライト点灯制御部１１１は、第１期間に、振幅データＡ＿Ｌｏｗで示されたパルス振幅と、下限点灯制御値ＰＷＭ＿ｌｍｔで示されたパルス幅とを有する
駆動信号で各光源を駆動する。但し、Ｓ７０５では、選択光源のみが下限点灯制御値ＰＷＭ＿ｌｍｔで示されたパルス幅の時間だけ点灯する期間が設定されるように、各光源の駆動タイミングが調整される（選択光源点灯制御）。例えば、図８（ｃ），８（ｄ）に示すように、光源（１，１）が選択光源である場合には、光源（１，１）の点灯期間と重ならないように、光源（２，１）の点灯期間が設定される。選択光源は、バックライト測定制御部１０８から出力された光源情報から判断される。なお、測定要求が入力されていない場合には、垂直方向位置が互いに等しい光源が同じタイミングで点灯を開始するように、各光源が駆動される。そのため、測定要求が入力されていない場合には、光源（１，１）と光源（２，１）は同じタイミングで点灯を開始する。
そして、Ｓ７０６に処理が進められる。
【００６１】
Ｓ７０６では、バックライト点灯制御部１１１が、第１期間における選択光源の点灯開始タイミングで、輝度センサ値取得部１１２へ測定要求を出力する。輝度センサ値取得部１１２は、バックライト点灯制御部１１１からの測定要求の入力に応じて、選択センサから輝度センサ値を取得する。ここでは、選択光源のみが点灯しているため、選択光源からの光の輝度のみを示す輝度センサ値が取得される。選択センサは、バックライト測定制御部１０８から出力された輝度センサ情報から判断される。
そして、Ｓ７０７に処理が進められる。
【００６２】
Ｓ７０７では、バックライト点灯制御部１１１が、発光制御用カウント値Ｃｙｃｌｅ＿Ｃｎｔを１だけインクリメントする。
【００６３】
次に、バックライト点灯制御部１１１が、第２期間におけるパルス振幅を示す振幅データＡ＿Ｈｉｇｈを設定する（Ｓ７０８）。
【００６４】
そして、バックライト点灯制御部１１１が、点灯制御値決定部１１０から出力された点灯制御値ＰＷＭ（発光輝度補正値Ｃｏｒｒと目標輝度Ｌｔｇｔに基づいて決定された値）を設定する（Ｓ７０９）。Ｓ７０９の処理はＳ７０８の処理より前に行われてもよい。
【００６５】
次に、バックライト点灯制御部１１１が、発光制御用カウント値Ｃｙｃｌｅ＿Ｃｎｔを１だけインクリメントする（Ｓ７１０）。また、バックライト点灯制御部１１１は、第２期間に、振幅データＡ＿Ｈｉｇｈで示されたパルス振幅と、点灯制御値ＰＷＭで示されたパルス幅とを有する駆動信号で各光源を駆動する。
【００６６】
そして、バックライト点灯制御部１１１が、発光制御用カウント値Ｃｙｃｌｅ＿Ｃｎｔが分割期間の数より大きいか否かを判断する（Ｓ７１１）。
発光制御用カウント値Ｃｙｃｌｅ＿Ｃｎｔが分割期間の数以下である場合には、Ｓ７０８に処理が戻される。そして、Ｓ７０８〜Ｓ７１０において、次の第２期間に関する処理が行われる。なお、パルス幅とパルス振幅は複数の第２期間の間で互いに等しくてもよいし、異なっていてもよい。そして、パルス幅とパルス振幅が複数の第２期間の間で互いに等しい場合には、Ｓ７１０に処理が戻されてもよい。
発光制御用カウント値Ｃｙｃｌｅ＿Ｃｎｔが分割期間の数より大きい場合には、本フローが終了される。
【００６７】
以上述べたように、本実施例によれば、発光制御（光源の発光の制御）の１周期が、光センサによる光検出用の発光を光源に行わせる第１期間と、決定された目標輝度の発光を光源に行わせる第２期間とに分けられる。そして、第１期間に光源から発せられた光が検出される。それにより、光源から発せられた光を高精度に検出しつつ、光源を所望の輝度（目標輝度）で発光させることができる。例えば、目標輝度として低い値が設定された場合にも、光源から発せられた光を高精度に検出しつつ、光源を目標輝度で発光させること
ができる。画像データの暗い領域で、画像データの明るい領域よりも目標輝度が低くなるように、目標輝度が決定される構成においては、上記の効果の他に、コントラストを高めることができるという効果を得ることができる。
【００６８】
なお、光源が有するＬＥＤの発光色はどのような色であってもよい。例えば、光源が有するＬＥＤは、白色光を発する白色ＬＥＤであってもよい。１つの光源は、発光色が互いに異なる複数のＬＥＤを有していてもよい。複数のＬＥＤから発せられた光の合成光が白色光となるように、１つの光源が有する複数のＬＥＤの発光色や配置が決定されてもよい。
【００６９】
なお、本実施例では、発光制御の１周期を、長さが互いに等しい複数の分割期間に分ける例を示したが、これに限らない。例えば、発光制御の１周期が、長さが互いに異なる複数の分割期間に分けられてもよい。発光制御の１周期が、１つの第１期間と、第１期間と長さが異なる複数の第２期間とに分けられてもよい。そのとき、複数の第２期間の長さは互いに異なっていてもよいし、同じであってもよい。
【００７０】
なお、本実施例では、第１期間に選択光源以外の光源にも発光を行わせる例を説明したが、第１期間では選択光源以外の光源には発光を行わせなくてもよい。また、光検出を行わないとき（例えば、上述したフィードバック制御を行わないとき）には、第１期間に各光源に発光を行わせなくてもよいし、第１期間が設定されなくてもよい。例えば、発光制御の１周期を第２期間として設定したり、１周期を複数の第２期間に分けたりしてもよい。
【００７１】
なお、本実施例では、発光制御の１周期を構成する複数の分割期間のうち、最初の分割期間を第１期間としたが、２番目以降の分割期間が第１期間として設定されてもよい。
【００７２】
なお、本実施例では、１フレームの期間内に１つの光源に対する光検出が行われる例を説明したが、これに限らない。１フレームの期間内に複数の光源に対する複数の光検出が行われてもよい。
【００７３】
なお、本実施例では、発光輝度をフィードバックするために輝度センサ値が使用される例を説明したが、輝度センサ値の用途はこれに限らない。例えば、輝度センサ値は他の表示装置で利用されてもよい。
【００７４】
なお、本実施例では、最初に初期点灯制御値を用いて各光源が駆動される例を説明したが、これに限らない。例えば、最初に、目標輝度に応じた点灯制御値（発光輝度補正値で補正されていない値）が使用されてもよい。目標輝度と点灯制御値の単位が同じ場合には、最初に、目標輝度が点灯制御値として使用されてもよい。
【００７５】
＜実施例２＞
本発明の実施例２に係る光源装置及びその制御方法について説明する。以下では、実施例１と異なる点についてのみ説明する。以下では、第１期間における点灯制御値を“第１点灯制御値”と記載し、第２期間における点灯制御値を“第２点灯制御値”と記載する。
【００７６】
本実施例に係る表示装置の全体構成は、実施例１（図１）と同じである。
【００７７】
点灯制御値決定部１１０は、実施例１と同様の処理を行う。
また、点灯制御値決定部１１０は、光源毎に第１点灯制御値を決定し、決定した各光源の第１点灯制御値をバックライト点灯制御部１１１へ出力する。具体的には、決定された目標輝度を実現するための第２期間における点灯時間が変化した場合に、第１期間におけ
る点灯時間が、第２期間における点灯時間の変化率で変化するように、第１点灯制御値が決定される。本実施例では、第１点灯制御値は、第２点灯制御値、初期点灯制御値（初期第２点灯制御値）、及び、初期第１点灯制御値に基づいて決定される。初期第１点灯制御値は、第１点灯制御値の初期値である。例えば、初期第１点灯制御値は、工場出荷時に決定された値であり、不揮発性メモリに予め格納されている。
【００７８】
バックライト点灯制御部１１１は、実施例１と同様の処理を行う。但し、第１期間では、バックライト点灯制御部１１１は、点灯制御値決定部１１０から出力された第１点灯制御値で各光源を駆動する。但し、第１期間における点灯時間を上記変化率で変化させた時間が必要検出時間よりも短い場合には、バックライト点灯制御部１１１は、第１期間における点灯時間として必要検出時間を設定する。即ち、点灯制御値決定部１１０から出力された第１点灯制御値によって示された点灯時間が必要検出時間よりも短い場合には、バックライト点灯制御部１１１は、第１期間における点灯時間として必要検出時間を設定する。それにより、光検出の精度の低下を抑制することができる。
なお、第１期間における点灯時間の下限値を必要検出時間に制限する処理は行われなくてもよい。第１期間では、点灯制御値決定部１１０から出力された第１点灯制御値で各光源を駆動する処理が常に行われてもよい。
【００７９】
次に、本実施例に係る表示装置の動作について、図１０に示すフローチャートを用いて説明する。
Ｓ４０１〜Ｓ４０４の処理は、実施例１（図４）と同じである。
Ｓ４０４の次に、点灯制御値決定部１１０が、各光源の第１点灯制御値ＰＷＭ＿Ｌｏｗを決定し、バックライト点灯制御部１１１に出力する（Ｓ１００１）。上述したように、第１点灯制御値は、第２点灯制御値ＰＷＭ、初期第２点灯制御値ＤｅｆＰＷＭ、初期第１点灯制御値ＤｅｆＰＷＭ＿Ｌｏｗに基づいて決定される。本実施例では、以下の式３を用いて第１点灯制御値ＰＷＭ＿Ｌｏｗが算出される。
ＰＷＭ＿Ｌｏｗ（ｘ，ｙ）
＝（ＰＷＭ（ｘ，ｙ）／ＤｅｆＰＷＭ（ｘ，ｙ））×ＤｅｆＰＷＭ＿Ｌｏｗ（ｘ，ｙ）
・・・（式３）
なお、第１点灯制御値は、現在の第２点灯制御値、前回の第２点灯制御値、及び、前回の第１点灯制御値に基づいて決定することもできる。例えば、式３の初期第２点灯制御値に前回の第２点灯制御値が代入され、初期第１点灯制御値に前回の第１点灯制御値が代入されてもよい。
【００８０】
次に、バックライト点灯制御部１１１の動作の詳細について、図１１に示すフローチャートを用いて説明する。
Ｓ７０１〜Ｓ７０２の処理は、実施例１（図７）と同じである。
Ｓ７０２の次に、バックライト点灯制御部１１１が、点灯制御値決定部１１０から出力された第１点灯制御値ＰＷＭ＿Ｌｏｗが下限点灯制御値ＰＷＭ＿ｌｍｔより小さいか否かを判断する（Ｓ１１０１）。即ち、第１点灯制御値ＰＷＭ＿Ｌｏｗで示された点灯時間が必要検出時間よりも短いか否かが判断される。第１点灯制御値ＰＷＭ＿Ｌｏｗが下限点灯制御値ＰＷＭ＿ｌｍｔより小さい場合には、Ｓ１１０２に処理が進められる。第１点灯制御値ＰＷＭ＿Ｌｏｗが下限点灯制御値ＰＷＭ＿ｌｍｔ以上である場合には、Ｓ１１０３に処理が進められる。
Ｓ１１０２では、バックライト点灯制御部１１１が、第１点灯制御値ＰＷＭ＿Ｌｏｗの値を下限点灯制御値ＰＷＭ＿ｌｍｔの値に変更する。そして、Ｓ１１０３に処理が進められる。
Ｓ１１０３では、バックライト点灯制御部１１１が、点灯制御値として第１点灯制御値
ＰＷＭ＿Ｌｏｗを設定する。そして、Ｓ７０４に処理が進められる。上述したように、点灯制御値決定部１１０から出力された第１点灯制御値が下限点灯制御値より小さいと判断された場合には、第１点灯制御値の値が下限点灯制御値の値に変更されるため、点灯制御値として下限点灯制御値が設定される。
Ｓ７０４〜Ｓ７１１の処理は実施例１（図７）と同じである。
【００８１】
次に、バックライト点灯制御部１１１の動作の詳細について、図１２，１３に示すタイミングチャートを用いて説明する。図１２は、点灯制御値決定部１１０から出力された第１点灯制御値が下限点灯制御値より大きい場合の例を示し、図１３は、点灯制御値決定部１１０から出力された第１点灯制御値が下限点灯制御値より小さい場合の例を示す。また、図１２，１３は、選択用カウント値ｌｓ＿ｃｎｔ＝０であり、位置（ｘ，ｙ）＝（１，１）の光源が選択光源として選択され、位置（Ｘ，Ｙ）＝（１，１）の輝度センサが選択センサとして選択された場合の例を示す。
図１２（ａ）と図１３（ａ）は図８（ａ）と同じであり、図１２（ｂ）と図１３（ｂ）は図８（ｂ）と同じである。
【００８２】
第２期間では、点灯制御値決定部１１０から出力された第２点灯制御値で各光源が駆動される。例えば、図１２（ａ）と図１３（ａ）に示すように、第１期間において、時刻ｔ４〜ｔ５の期間に点灯するように光源（１，１）が駆動される。時刻ｔ４〜ｔ５の期間の長さは、点灯制御値決定部１１０から出力された第２点灯制御値で示されたパルス幅と等しい。
なお、図１２と図１３では第２制御値の値が異なるため、第２期間におけるパルス幅も異なっている。具体的には、図１３では、第２期間におけるパルス幅が図１２に示すパル幅よりも短くなっている。
【００８３】
点灯制御値決定部１１０から出力された第１点灯制御値が下限点灯制御値より大きい場合には、第１期間において、点灯制御値決定部１１０から出力された第１点灯制御値で各光源が駆動される。例えば、図１２（ａ）に示すように、第１期間において、時刻ｔ１〜ｔ３の期間に点灯するように光源（１，１）が駆動される。時刻ｔ１〜ｔ３の期間の長さは、点灯制御値決定部１１０から出力された第１点灯制御値で示されたパルス幅と等しい。このとき、実施例１と同様に、光源（１，１）の点灯終了時刻から光源（２，１）の点灯が開始されてもよい。しかし、時刻ｔ１から光検出が行われれば、時刻ｔ１から必要検出時間後の時刻２には光検出が終了するため、時刻ｔ２以降に他の光源が点灯していても問題は無い。そのため、図１２（ｄ）では、第１期間において、時刻ｔ２に点灯が開始するように光源（２，１）が駆動されている。図１２（ｅ）に示すように、光源（８，６）は、実施例１と同様に、分割期間の開始時刻から１／４８０秒後に点灯が開始されるように、ＰＷＭ制御される。
【００８４】
点灯制御値決定部１１０から出力された第１点灯制御値が下限点灯制御値より大きい場合には、第１期間において、下限点灯制御値で各光源が駆動される。例えば、図１３（ａ）に示すように、第１期間において、時刻ｔ１〜ｔ３の期間に点灯するように光源（１，１）が駆動される。時刻ｔ１〜ｔ３の期間の長さは、下限点灯制御値で示されたパルス幅（即ち必要検出時間）と等しい。なお、図１３において、時刻ｔ１〜ｔ２の期間は、点灯制御値決定部１１０から出力された第１点灯制御値で光源（１，１）を駆動した場合の光源（１，１）の点灯期間を示す。そして、図１３（ｄ）に示すように、実施例１と同様に、光源（１，１）の点灯終了時刻ｔ２から光源（２，１）の点灯が開始される。図１３（ｅ）に示すように、光源（８，６）は、実施例１と同様に、分割期間の開始時刻から１／４８０秒後に点灯が開始されるように、ＰＷＭ制御される。
【００８５】
以上述べたように、本実施例によれば、目標輝度を実現するための第２期間における点
灯時間が変化した場合に、第１期間における点灯時間が、第２期間における点灯時間の変化率で変化する。それにより、第１期間に発光を行うことによる色ずれを低減することができる。具体的には、第１期間と第２期間の輝度比（色度比）を一定に保つことができるため、色ずれを低減することができる。
【００８６】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００８７】
１０２  バックライト目標輝度決定部
１０６  フィードバック制御部
１０７  測定位置決定部
１０８  バックライト測定制御部
１０９  発光輝度補正値決定部
１１０  点灯制御値決定部
１１１  バックライト点灯制御部
１１２  輝度センサ値取得部
２００  バックライト
２０１  光源
２０２  輝度センサ
【図１】
2015090399.tif 000003
【図２】
2015090399.tif 000004
【図３】
2015090399.tif 000005
【図４】
2015090399.tif 000006
【図５】
2015090399.tif 000007
【図６】
2015090399.tif 000008
【図７】
2015090399.tif 000009
【図８】
2015090399.tif 000010
【図９】
2015090399.tif 000011
【図１０】
2015090399.tif 000012
【図１１】
2015090399.tif 000013
【図１２】
2015090399.tif 000014
【図１３】
2015090399.tif 000015